(57)【要約】  【課題】停電切替時、計画切替時において１／４サイクル以下という実用上無瞬断の自動切替が可能であり且つコンパクト化が可能な無瞬断切替装置を提供する。  【解決手段】無瞬断切替装置は、電源端子Ａ及びＢと負荷端子Ｃとに接続され且つ負荷端子Ｃを選択的に電源端子Ａ又はＢに接続する双投式主切替スイッチ５、電源端子Ａ及びＢに接続されると共に半導体スイッチ７と電磁接触器８との直列回路（７＋８）を介して負荷端子Ｃに接続され且つその直列回路を介して負荷端子Ｃを選択的に電源端子Ｂ又はＡに接続する双投式補助切替スイッチ６とを有し、同期検出回路10により電源端子Ａ、Ｂ間の同期を検出し、停電検出回路20により電源端子Ａ又はＢの停電発生を検出する。制御回路15により、同期非検出時に電磁接触器８を遮断し、同期検出時に電磁接触器８を導通し、停電検出時に半導体スイッチ７の導通と主切替スイッチ５の健全電源への切替えとを同時に駆動する。【選択図】      図１
2008048474.tif 000002
【特許請求の範囲】
【請求項１】
第１交流電源及び第２交流電源に接続される第１電源端子及び第２電源端子、負荷に接続される負荷端子、前記第１及び第２電源端子と負荷端子とに接続され且つ負荷端子を選択的に第１又は第２電源端子に接続する双投式主切替スイッチ、前記第１及び第２電源端子に接続されると共に半導体スイッチと電磁接触器との直列回路を介して負荷端子に接続され且つその直列回路を介して負荷端子を選択的に第２又は第１電源端子に接続する双投式補助切替スイッチ、前記第１電源端子と第２電源端子との間の同期を検出する同期検出回路、前記第１及び／又は第２電源端子の停電発生を検出する停電検出回路、並びに前記同期検出回路の同期非検出時に電磁接触器を遮断すると共に同期検出時に電磁接触器を導通し且つ前記停電検出回路の停電検出時に主切替スイッチの健全電源端子への切替えと半導体スイッチの導通とを同時に駆動する制御回路を備えてなる無瞬断切替装置。
【請求項２】
請求項１の切替装置において、前記電磁接触器を遅延釈放形としてなる無瞬断切替装置。
【請求項３】
請求項１又は２の切替装置において、前記制御回路に電磁接触器の遮断遅延回路を含めてなる無瞬断切替装置。
【請求項４】
請求項１から３の何れかの切替装置において、前記補助切替スイッチを主切替スイッチの接続電源端子と逆側の電源端子に切替える電動又は手動のスイッチ切替手段を設けてなる無瞬断切替装置。
【請求項５】
請求項１から４の何れかの切替装置において、前記停電検出回路に、交流波の全相全波整流により直流波を得る整流回路と、その直流波を入力して停電検出信号を出力する無接点リレーとを含めてなる無瞬断切替装置。
【請求項６】
請求項５の切替装置において、前記停電検出回路を主切替スイッチと負荷端子との間に接続してなる無瞬断切替装置。
【請求項７】
請求項６の切替装置において、前記制御回路に計画的な切替信号を入力する切替信号入力手段を設け、その切替信号の入力時に、前記制御回路により主切替スイッチを健全電源端子に切替え且つその後の停電検出回路の停電検出に応じて半導体スイッチを導通させてなる無瞬断切替装置。
【請求項８】
請求項５から７の何れかの切替装置において、前記同期検出回路に、前記第１及び第２電源端子のアナログ波を矩形波に整形する波形成形回路と、前記第１及び第２電源端子の矩形波から周波数及び／又は位相の同期を検出して同期検出信号を出力するディジタル処理装置とを含めてなる無瞬断切替装置。
【請求項９】
請求項８の切替装置において、前記制御回路に、前記停電検出信号に応じて主切替スイッチの切替えを制御する主スイッチ制御回路と、前記同期検出信号に応じて電磁接触器の導通・遮断を制御する電磁接触器制御回路とを含めてなる無瞬断切替装置。
【請求項１０】
請求項１から９の何れかの切替装置において、前記第１電源端子と主及び補助の両切替スイッチとの間に第１電源端子を選択的に両切替スイッチ又は負荷端子に接続するオーバーラップ式第１切替スイッチを設け、前記第２電源端子と両切替スイッチとの間に第２電源端子を選択的に両切替スイッチ又は負荷端子に接続するオーバーラップ式第２切替スイッチを設け、前記負荷端子と両切替スイッチとの間にブレーカーを設けてなる無瞬断切替装置。
【発明の詳細な説明】
【技術分野】
【０００１】
本発明は無瞬断切替装置に関し、とくに有接点スイッチと半導体スイッチとを組み合わせたハイブリッド方式の無瞬断切替装置に関する。
【背景技術】
【０００２】
近年の情報通信システムはネットワークサーバやコンピュータ、通信機器等の電子機器で支えられており、停止の許されない電子機器を用いるデータセンター（Internet Data Center）や電算センター、通信局、テレビ局、新聞社、工場、事務所ビル等では、商用電源の停電から電子機器を守るため、無停電電源装置（Uninterruptible Power Supply；ＵＰＳ）の導入が積極的に進められている。また最近では、ＵＰＳの故障時や保守点検時等においても商用電源からではなくＵＰＳから給電するシステムの要望があり、２４時間３６５日無停止のＵＰＳ給電システムとするため常用系・予備系の２系統ＵＰＳを短時間で切り替える無瞬断切替装置の導入が進められている。
【０００３】
２系統電源（常用系及び予備系）を短時間で切替える装置の一例は、図８（Ａ）に示すように、高速形の双投式有接点スイッチ（例えば電磁接触器）55を用いたものである。図示例の切替装置は機器構成が単純であって信頼性も高い。しかし、停電時における２系統電源の自動的な切替（自動切替）に時間がかかるため、負荷に対する給電に瞬停が生じる問題点がある。すなわち、有接点スイッチでは常用系の停電検出から予備系の導通までに20〜50msec程度の瞬停時間が発生しうる。一般に無瞬断とは瞬停時間５msec（１／４サイクル）以下と定義されており、機器により異なるものの瞬停許容時間が５msec以下の電子機器も多く存在するので、20〜50msecにも及ぶ瞬停時間が生じると電子機器が誤動作したり機能を停止したりするおそれがある。なお、オーバーラップ式有接点スイッチを用いれば２系統電源の切替時間を短くすることが可能であるが（例えば15msec）、横流の発生する可能性がある。
【０００４】
他方、図８（Ｂ）に示すように、２組の半導体スイッチ（例えばサイリスタ）56A、56Bを用いて自動切替の瞬停時間を短くした無瞬断切替装置が知られている。半導体スイッチは極めて短時間で導通・遮断を切替えることができるので、図示例の切替装置によれば、２系統電源の自動切替の瞬停時間を例えば実用上無瞬断の４msec程度とすることが可能である。しかも、半導体スイッチ56A、56Bを同時に導通させなければ横流が発生することもない。ただし、半導体スイッチ56A、56Bのみを用いた無瞬断切替装置は、半導体スイッチ56A、56Bの内部を流れる電力損失が大きくなるため運転コストが大きくなり、信頼性も低下する。また、冷却装置が必要となるため装置の寸法（設置スペース）が大きくなり、装置の価格も高くなる等の問題点もある。
【０００５】
これに対し、例えば特許文献１及び２が開示するように、半導体スイッチと双投式有接点スイッチとを組み合わせたハイブリッド方式の切替装置が開発されている。図８（Ｃ）に示す特許文献１の切替装置は、例えば有接点スイッチ55を常用系電源に接続した運用中に（計画的な）切替え指令信号が発生すると、先ず有接点スイッチ55を予備系電源に切替えると共に、常用系の半導体スイッチ57Aを導通し且つ予備系の半導体スイッチ57Bを遮断する。有接点スイッチ55は常用系電源から遮断され、上述した20msec程度の時間経過後に予備系電源と導通するが、その有接点スイッチ55が何れの電源とも遮断されている間に半導体スイッチ57Aを遮断し、更に短時間（例えば３μsec）後に半導体スイッチ57Bを導通する。そして、有接点スイッチ55が予備系電源と導通したのち、半導体スイッチ57Bを遮断する。この切替装置によれば、有接点スイッチ55の切替中も半導体スイッチ57A、57Bが導通している限り電力が供給されるので瞬停時間を短く抑えることができ、運用中は半導体スイッチ57A、57Bが共に遮断されているので半導体スイッチ57A、57Bによる電力損失は発生しない。ただし、図示例の切替装置は停電検出回路を有しておらず、停電時は有接点スイッチ55のみによる自動切替となるので20〜50msec程度の瞬停時間が発生しうる。
【０００６】
図８（Ｄ）に示す特許文献２の切替装置は、例えば有接点スイッチ58Aを導通すると共に有接点スイッチ58Bを遮断した常用系での運用中（この運用中に有接点切替スイッチ59は予備系に切替えられている）に停電等の切替事象が発生すると、常用系の有接点スイッチ58Aを遮断すると共に、１組の半導体スイッチ（例えば逆並列接続された一対の半導体スイッチ素子からなるサイリスタスイッチ）60を導通させることにより有接点スイッチ58Aの電流を半導体スイッチ60に転流させた後、予備系の有接点スイッチ58Bを導通することにより負荷を予備系電源に切替える。具体的には、有接点スイッチ58Aを遮断して２系統電源間の絶縁性能が十分に確保できる所定時間T1後に有接点スイッチ58Aに流れる電流又は電圧の極性を検出して同極性側の半導体スイッチ素子を点呼し、有接点スイッチ58Aに流れる電流が零になって所定時間T2経過後に両半導体スイッチ素子を点呼し、更に両半導体スイッチ素子を点呼して一定時間T3経過後に有接点スイッチ58Bを導通し、そののち十分な時間T4を確保して両半導体スイッチ素子を遮断する。この切替装置によれば、自動切替の瞬停時間を比較的短く抑えることができると共に、運用中は半導体スイッチ60が遮断されているので電力損失も低減することができる。
【０００７】
【特許文献１】特許第３４２０２８１号公報
【特許文献２】特許第３６７６６３８号公報
【特許文献３】特開２００６−０９４５９９号公報
【発明の開示】
【発明が解決しようとする課題】
【０００８】
図８（Ｃ）及び同図（Ｄ）のハイブリッド式切替装置は何れも、２系統電源を短時間で切替えることが可能であり、運転時の電力損失が小さい利点を有する。しかし、２組の半導体スイッチ57A、57Bを用いる同図（Ｃ）の切替装置は、半導体スイッチ57A、57Bの素子特性を揃える必要があり、複雑な制御回路を必要とするので、装置の寸法を十分に小さくすることが難しく、低価格化を図ることも難しい。しかも、メンテナンス時等における計画的な切替（計画切替）では実用上無瞬断切替が可能であるものの、自動切替では比較的長い瞬停時間が発生してしまう。とくに複数系統のＵＰＳを用いる無停止のＵＰＳ給電システムでは、実用上無瞬断で自動切替可能な装置が求められており、しかも設置スペース等が限られている場合もあるので切替装置のコンパクト化が求められている。
【０００９】
図８（Ｄ）の切替装置は、半導体スイッチ60を１組としているので、制御回路を含めて機器構成をシンプルにすることができ、装置のコンパクト化を図ることができる。しかし同図の切替装置は、有接点スイッチ58A、58Bと半導体スイッチ60との切替に複数の待ち合わせ時間T1、T2、T3、T4が必要であり、２系統電源の自動切替の瞬停時間を実用上無瞬断（５msec以下）に抑えることが難しい場合がある。本発明者の計算によれば、同図において有接点スイッチ58Aの遮断に５msec程度が必要であり、半導体スイッチ70の導通に２msec程度が必要であり、自動切替の瞬停時間を５msec以下とすることができないおそれがある。また、同図の切替装置では計画的な無瞬断切替も難しいように思われる。
【００１０】
そこで本発明の目的は、実用上無瞬断の自動切替が可能であり且つコンパクト化が可能な無瞬断切替装置を提供することにある。
【課題を解決するための手段】
【００１１】
図１の実施例を参照するに、本発明による無瞬断切替装置は、第１交流電源及び第２交流電源（例えば図２の無停電電源装置41A、41B参照）に接続される第１電源端子Ａ及び第２電源端子Ｂ、負荷Ｄ（図２参照）に接続される負荷端子Ｃ、第１電源端子Ａ及び第２電源端子Ｂと負荷端子Ｃとに接続され且つ負荷端子Ｃを選択的に第１電源端子Ａ又は第２電源端子Ｂに接続する双投式主切替スイッチ５、第１電源端子Ａ及び第２電源端子Ｂに接続されると共に半導体スイッチ７と電磁接触器８との直列回路（７＋８）を介して負荷端子Ｃに接続され且つその直列回路（７＋８）を介して負荷端子Ｃを選択的に第２電源端子Ｂ又は第１電源端子Ａに接続する双投式補助切替スイッチ６、第１電源端子Ａと第２電源端子Ｂとの間の同期を検出する同期検出回路10、第１電源端子Ａ及び／又は第２電源端子Ｂの停電発生を検出する停電検出回路20、並びに同期検出回路10の同期非検出時に電磁接触器８を遮断すると共に同期検出時に電磁接触器８を導通し且つ停電検出回路20の停電検出時に主切替スイッチ５の健全電源端子Ａ又はＢへの切替えと半導体スイッチ７の導通とを同時に駆動する制御回路15を備えてなるものである。
【００１２】
好ましくは、電磁接触器８を遅延釈放形とするか、又は制御回路15に電磁接触器８の遮断遅延回路30を含める。望ましくは、補助切替スイッチ６を主切替スイッチ５の接続電源端子Ａ又はＢと逆側の電源端子Ｂ又はＡに切替える電動又は手動のスイッチ切替手段13を設ける。
【００１３】
更に好ましくは、図５に示すように、停電検出回路20に、交流波の全相全波整流により直流波を得る整流回路22と、その直流波を入力して停電検出信号Ｌを出力する無接点リレー23とを含める。停電検出回路20は、図１に示すように、主切替スイッチ５と負荷端子Ｃとの間に接続することができる。望ましくは、制御回路15に計画的な切替信号Ｎを入力する切替信号入力手段14を設け、その切替信号Ｎの入力時に、制御回路15により主切替スイッチ５を健全電源端子Ａ又はＢに切替え且つその後の停電検出回路20の停電検出に応じて半導体スイッチ７を導通させる。
【００１４】
好ましい実施例では、同期検出回路10に、第１電源端子Ａ及び第２電源端子Ｂのアナログ波を矩形波に整形する波形成形回路11と、第１電源端子Ａ及び第２電源端子Ｂの矩形波から周波数及び／又は位相の同期を検出して同期検出信号Ｍを出力するディジタル処理装置12とを含める。また制御回路15に、停電検出信号Ｌに応じて主切替スイッチ５の切替えを制御する主スイッチ制御回路18と、同期検出信号Ｍに応じて電磁接触器８の導通・遮断を制御する電磁接触器制御回路17とを含める。
【発明の効果】
【００１５】
本発明による無瞬断切替装置は、負荷端子Ｃを選択的に第１電源端子Ａ又は第２電源端子Ｂに接続する双投式主切替スイッチ５と、半導体スイッチ７及び電磁接触器８の直列回路（７＋８）を介して負荷端子Ｃを選択的に第２電源端子Ｂ又は第１電源端子Ａに接続する双投式補助切替スイッチ６とを有し、第１電源端子Ａ及び第２電源端子Ｂの間の同期非検出時に電磁接触器８を遮断すると共に同期検出時に電磁接触器８を導通し、第１電源端子Ａ及び／又は第２電源端子Ｂの停電検出時に主切替スイッチ５の電源切替と半導体スイッチ７の導通とを同時に駆動するので、次の顕著な効果を奏する。
【００１６】
（イ）有接点切替スイッチ５の電源切替と半導体スイッチ７の導通とを同時に駆動するので、半導体スイッチの導通時間で電源端子Ａ、Ｂを切替えることが可能であり、自動切替の瞬停時間を実用上無瞬断（５msec以下）とすることができる。
（ロ）第１電源端子Ａと第２電源端子Ｂとが非同期である時は電磁接触器８が遮断されるので、半導体スイッチ７を有接点切替スイッチ５と同時に導通しても非同期の電源端子Ａ、Ｂが接続されることはなく、非同期の電源切替による横流の発生や負荷に対する悪影響を有効に避けることができる。
（ハ）半導体スイッチ７を１個としているので、制御回路及び機器構成を簡単化することができ、装置の小型化・低価格化を図ることができる。
（ニ）停電検出回路20を主切替スイッチ５と負荷端子Ｃとの間に接続することにより、装置の更なる小型化・低価格化が図れると共に、負荷側の電源ダウンを直接検知した上で切替動作に入ることができるので、接点開極時におけるアーク放電による連係状態での切替動作を確実に回避し、横流発生による諸問題を確実に防止できる。
（ホ）また、計画的な切替信号Ｎを制御装置15に入力する切替信号入力手段14を設け、その計画切替信号Ｎの入力時に主切替スイッチ５を切替えたのち停電検出回路20の停電検出に応じて半導体スイッチ７を導通させることにより、自動切替だけでなく、計画切替においても瞬停時間を実用上無瞬断（５msec以下）とすることができる。
（ヘ）半導体スイッチ７を導通させたのち有接点切替スイッチ５が切替わるので、切替スイッチ５の接点におけるアーク発生を防止することができ、接点の磨耗を少なくして寿命を延ばすことができる。
（ト）２系統ＵＰＳを短時間で切り替える無瞬断切替装置として利用することができ、２４時間３６５日無停止のＵＰＳ給電システムの普及に寄与できる。
【発明を実施するための最良の形態】
【００１７】
図１は、本発明の無瞬断切替装置１の一実施例のブロック図を示す。図示例の無瞬断切替装置１は、第１三相交流電源に接続する第１電源端子Ａと、第２三相交流電源に接続する第２電源端子Ｂと、負荷Ｄに接続する負荷端子Ｃとを有する。例えば図２に示すように、第１電源端子Ａ及び第２電源端子Ｂをそれぞれ２系統の無停電電源装置（ＵＰＳ）41A及び41Bと接続することにより、本発明の無瞬断切替装置１を用いて負荷Ｄに対し故障時や保守点検時等においてもＵＰＳから給電するシステムを構築する。ただし、本発明はＵＰＳ給電システムへの適用に限定されるものではない。
【００１８】
図２のＵＰＳ41A、41Bはそれぞれ、例えば6600Ｖ、50Hzの高圧三相の商用交流電力を高圧分岐用遮断器盤40経由で入力する高圧入力盤42と、その高圧三相交流を所要電圧とする入力変圧器盤43と、変圧後の三相交流を整流するコンバータ44と、整流後の直流を蓄電するバッテリー45と、バッテリー45の電力を所定電圧・所定周波数の交流に変換するインバータ46と、分岐ブレーカー49と、その分岐ブレーカー49を選択的にインバータ46又は入力変圧器盤43（バイパス回路47）に接続する切替スイッチ48とを有する。定常時は切替スイッチ48によりインバータ46と分岐ブレーカー49とが接続されており、商用電力と同期しながらインバータ46を通して分岐ブレーカー49に定電圧・定周波数の安定した交流電力が供給される。入力の瞬断や停電発生時にもバッテリー45によりインバータ46は運転を継続し、無瞬断の電力が連続的に分岐ブレーカー49に供給される。
【００１９】
図示例のＵＰＳ41A、41Bは、分岐ブレーカー49の負荷側に定格出力電流以上の過電流が発生した場合に切替スイッチ48をバイパス回路47に自動的に切替え、商用交流電力を分岐ブレーカー49に直接給電する機能を有する。負荷電流が正常に復帰すると、切替スイッチ48がインバータ46に自動的に切替えられ、インバータ46からの給電が再開される。本発明の無瞬断切替装置１の第１電源端子ＡをＵＰＳ41Aの分岐ブレーカー49Aに接続すると共に、第２電源端子ＢをＵＰＳ41Bの分岐ブレーカー49Bに接続し、負荷端子Ｃに例えば変圧器51を介して負荷Ｄを接続することにより、負荷Ｄに対し２４時間３６５日無停止で定電圧・定周波数の電力を供給する信頼性の高いＵＰＳ給電システムを構築することができる。なお図示例のＵＰＳ給電システムは、信頼性及び凡長性を更に高めるため、保守バイパス回路50を介してＵＰＳ41Aのバイパス回路47をＵＰＳ41Bの分岐ブレーカー49Bに接続し、商用電力又はＵＰＳ41Aの異常時にも負荷Ｄに対する給電を可能している。
【００２０】
図示例の無瞬断切替装置１は、第１電源端子Ａ及び第２電源端子Ｂと負荷端子Ｃとに接続された双投式主切替スイッチ５と、第１電源端子Ａ及び第２電源端子Ｂに接続されると共に半導体スイッチ７と電磁接触器８との直列回路（以下、半導体バイパス回路（７＋８）ということがある）を介して負荷端子Ｃに接続された双投式補助切替スイッチ６とを有する。主切替スイッチ５は、負荷端子Ｃを選択的に第１電源端子Ａ又は第２電源端子Ｂに低損失で接続し、しかも後述する制御回路15により自動切替えが可能なものであり、例えば双投式電磁接触器（ＭＣＤＴ）とすることができる。補助切替スイッチ６は、半導体バイパス回路（７＋８）を介して負荷端子Ｃを選択的に第２電源端子Ｂ又は第１電源端子Ａに低損失で接続するものであり、制御回路15により自動切替え可能としてもよいが、電動又は手動で切替え可能であれば足りる。図示例の無瞬断切替装置１は、補助切替スイッチ６を切替える手動又は電動のスイッチ切替手段13（例えば装置盤面上の操作スイッチ）を有し、そのスイッチ切替手段13の操作により補助切替スイッチ６を、主切替スイッチ５の接続電源端子Ａ又はＢと逆側の電源端子Ｂ又はＡに切替可能としている。図示例の補助切替スイッチ６は、スイッチ切替手段13からの入力に応じて、補助切替スイッチ６を主切替スイッチ５と逆側の電源端子Ｂ又はＡに切替える補助スイッチ制御回路19を有している。
【００２１】
半導体スイッチ７及び電磁接触器８は、負荷端子Ｃと補助切替スイッチ６との間に直列に接続され、共に負荷端子Ｃと補助切替スイッチ６との間の導通・遮断を切替え可能とする。半導体スイッチ７は後述する制御回路15（半導体制御回路16）により導通制御が可能なものであり、例えば切替時間１msec程度の絶縁ゲートバイポーラトランジスタ（ＩＧＢＴ）、トランジスタ、サイリスタ、ＧＴＯ等とすることができる。また電磁接触器８は後述する制御回路15（補助スイッチ制御回路17）により導通及び遮断の制御が可能なものであり、例えば遮断時も0.1〜数secの間は導通状態を保持する遅延釈放形電磁接触器（ＭＣ）とすることができる。電磁接触器８を遅延釈放形とする理由については後述するが、本発明で用いる電磁接触器８は遅延釈放形に限定されるものではない。
【００２２】
図示例の半導体バイパス回路（７＋８）は、半導体スイッチ７と電磁接触器８との間に異常発生時の遮断用の保護ヒューズ９を設けている。後述するように半導体バイパス回路（７＋８）は切替の際に一時的に負荷給電するものであり、例えば主切替スイッチ５が切替不能となって半導体バイパス回路（７＋８）による負荷給電が継続する等の異常発生時に、保護ヒューズ９により半導体バイパス回路（７＋８）を遮断することができる。ただし、本発明では異常発生時に制御回路15によって電磁接触器８を遮断することが可能であり、半導体バイパス回路（７＋８）の遮断用の保護ヒューズ９は本発明に必須のものではない。なお、例えばＩＧＢＴ等の自己消弧可能な半導体スイッチ７を用いれば制御回路15により半導体スイッチ７の遮断タイミングを制御することも可能であるが、本発明は制御装置15による半導体スイッチ７の遮断タイミングの制御を必須とするものではなく、自己消弧不能なサイリスタ等の半導体スイッチ７を用いて半導体バイパス回路（７＋８）を構成することができる。
【００２３】
また図示例の無瞬断切替装置１は、第１電源端子Ａ及び／又は第２電源端子Ｂの停電発生を検出する停電検出回路20と、第１電源端子Ａと第２電源端子Ｂとの間の同期を検出する同期検出回路10と、制御回路15とを有する。図示例の停電検出回路20は、主切替スイッチ５と負荷端子Ｃとの間に接続され、主切替スイッチ５の接続電源端子（負荷給電電源端子）Ａ又はＢの停電発生を検出している。負荷給電電源の停電を検出することは、負荷側の電源ダウンを直接検知した上で切替動作に入ることを可能とし、横流発生による諸問題を防止できる利点があると共に、後述する計画切替時の瞬停時間の短縮にも有効である。停電検出回路20の回路図の一例を図５に示す。図示例の停電検出回路20は、三相線Ｕ、Ｖ、Ｗが二相ずつペアを構成して１次側巻き線に接続されたトランス21と、トランス21の２次巻き線に接続されて交流波の全相全波整流により直流波を得る整流回路（例えばブリッジダイオード）22と、その直流波を入力して停電検出信号Ｌを出力する無接点リレー23とを有する。無接点リレーの一例は、整流回路22に接続された発光素子23を有するＭＯＳ−ＦＥＴ（Metal Oxide Semiconductor Field Effect Transistor）である。三相交流の全相を全波整流した直流を用いて停電を検出することにより、平準化のためのコンデンサ等が不要となり、極めて短時間（約0.3msec）で停電を検出する停電検出回路20を実現することができる。
【００２４】
負荷給電電源の停電を検出する停電検出回路20に代えて、回路素子（制御部品）の数は増えるが、例えば図１に点線で示すように一対の停電検出回路20A、20Bを用いて第１電源端子Ａ及び第２電源端子Ｂの両者の停電発生を同時に検出することも可能である。この場合も、停電検出回路20A、20Bの各々において第１電源端子Ａ、第２電源端子Ｂの三相全波整流により直流波を得て停電検出信号LA、LBを出力することにより、第１電源端子Ａ及び第２電源端子Ｂの両者の停電を極めて短時間で検出することができる。ただし、本発明で用いる停電検出回路20の構成は図５の例に限定されるものではなく、同等以下の短時間（約0.3msec以下）で停電を検出できる適当な停電検出回路20を用いることができる。なお、図５の停電検出回路20については本出願人による特許文献３に詳述されている。
【００２５】
図示例の同期検出回路10は、第１電源端子Ａ及び第２電源端子Ｂの電圧を検出する電圧検出回路と、第１電源端子Ａ及び第２電源端子Ｂのアナログ波を矩形波に整形する波形成形回路11と、第１電源端子Ａ及び第２電源端子Ｂの矩形波から周波数及び／又は位相の同期を検出して同期検出信号Ｍを出力するディジタル処理装置12とを有する。図６は、本発明で用いる同期検出回路10の一例の機能ブロック図を示す。電圧検出回路は、電源端子Ａ及びＢの三相線Ｕ、Ｖ、Ｗに接続された１次側巻き線を有するトランス29と、そのトランス29の２次巻き線に接続された整流回路及び平準回路とを有し、Ａ／Ｄ変換後の平準回路の出力値をディジタル処理装置12に入力して電圧を算出する。また、そのトランス29の２次巻き線のアナログ波を波形成形回路11により周期Ｔより十分に短いサンプリング間隔Δｔで整形して矩形波とし、Ａ／Ｄ変換後の矩形波をディジタル処理装置12に入力してゼロクロス点を抽出し、ゼロクロス点の時間間隔から入力波形の周期Ｔ及びその逆数である周波数を検出する。更にディジタル処理装置12は、電源端子Ａ及びＢの矩形波のゼロクロス点の時間差から位相差を検出し、位相差が実質上同期状態とみなすことができる範囲にある場合に同期検出信号Ｍを出力する。図示例の同期検出回路10は、同期状態以外を非同期状態と判断する。
【００２６】
本発明者は、図２のように電源端子Ａ、ＢをＵＰＳ41A及び41Bに接続した場合に、負荷の回路条件等によって異なるものの、位相差１４°以内であれば負荷への悪影響（突入電流の発生等）を避けることが可能であり、位相差１０°以内（更に好ましくは位相差７°以内）であれば実質上同期状態とみなすことができることを実験的に見出した。例えば、同期検出回路10のディジタル処理装置12に同期状態とみなす位相差を１４°以内の範囲内で１°ステップ毎に設定できる設定スイッチを設け、負荷の回路条件等に応じて同期検出信号Ｍを出力する位相差を調整することが可能である。なお、図示例の同期検出回路10は、両電源端子Ａ及びＢの電圧差、周波数差の検出が可能であり、例えばディジタル処理装置12の設定スイッチで同期状態とみなす電圧差、周波数差を設定することにより、位相差だけでなく電圧差、周波数差も同期状態とみなすことができる場合にのみ同期検出信号Ｍを出力することができる。
【００２７】
図示例の制御回路15は、同期検出回路10の同期検出信号Ｍと停電検出回路20の停電検出信号Ｌとを入力し、半導体スイッチ７の導通を制御する半導体制御回路16と、電磁接触器８の導通・遮断を制御する電磁接触器制御回路17と、主切替スイッチ５の切替えを制御する主スイッチ制御回路18とを有する。また図示例の制御回路15は、意図的に電源端子Ａ、Ｂを切替えるための計画切替信号Ｎを入力する切替信号入力手段14（例えば装置盤面上の操作スイッチ）を有している。
【００２８】
制御回路15は、同期検出信号Ｍが入力された場合に電磁接触器制御回路17を介して電磁接触器８を導通させて半導体バイパス回路（７＋８）を有効とし、同期検出信号Ｍが入力されない場合に電磁接触器制御回路17を介して電磁接触器８を遮断して半導体バイパス回路（７＋８）を無効とする。図示例の制御回路15は遅延回路30を有し、遅延回路30を介して電磁接触器制御回路17と接続されている。遅延回路30を設けることにより、同期検出信号Ｍが無入力となったときに電磁接触器制御回路17に対する制御信号を遅延させ、電磁接触器８の遮断を0.1〜数sec程度遅延させることができる。ただし、遅延回路30は本発明に必須のものではなく、例えば電磁接触器８を遅延釈放形とした場合は省略可能である。
【００２９】
また図示例の制御回路15は、停電検出信号Ｌが入力された場合に、主スイッチ制御回路18に駆動電圧（図示例では電源端子Ａ又はＢからの単相駆動電圧）を印加して主切替スイッチ５を切替えると同時に、半導体制御回路16を介して半導体スイッチ７を導通させる。ＩＧＢＴ等の自己消弧可能な半導体スイッチ７を用いた場合は、停電検出信号Ｌが入力されない場合に半導体制御回路16を介して半導体スイッチ７を直ちに遮断するように制御回路15を構成することができるが、制御装置15は半導体スイッチ７の導通タイミングの制御が可能であれば足りる。
【００３０】
図３は無瞬断切替装置１による停電時の電源切替動作の流れ図を示し、図７（Ａ）はその切替タイムチャートを示す。以下、両図を参照して停電自動切替時における本発明の無瞬断切替装置１の作用を説明する。図３（Ａ）は、主切替スイッチ５により負荷端子Ｃが第１電源端子Ａと接続され、第１交流電源から負荷端子Ｃに給電中の状態を表す。このとき、補助切替スイッチ６はスイッチ切替手段13によって主切替スイッチ５と逆側の電源端子Ｂに切替えられており、電磁接触器８は同期検出回路10により電源端子Ａ、Ｂの同期が検出されている限り導通している。しかし、半導体スイッチ７は遮断されており、負荷端子Ｃと第２電源端子Ｂとは遮断されている。
【００３１】
図３（Ｂ）は、同図（Ａ）の状態において停電検出回路20により電源端子Ａの停電が検出された状態を表す。図７（Ａ）に示すように、停電検出回路20は停電を検出すると停電検出信号Ｌを制御回路15に出力し、制御回路15が主切替スイッチ５を第１電源端子Ａから第２電源端子Ｂへ切替えると同時に半導体スイッチ７を導通させる。上述したように主切替スイッチ５の切替動作には20〜50msec程度の時間t1がかかるのに対し、半導体スイッチ７は短時間t2で導通するので、負荷端子Ｃと第２電源端子Ｂとが補助切替スイッチ６と電磁接触器８と半導体スイッチ７とを介して接続され、第２交流電源から負荷端子Ｃへの給電が短時間で開始する。すなわち、電源端子Ａから電源端子Ｂ２への自動切替の瞬停時間は停電検出時間（約0.3msec）と半導体スイッチ７の導通時間（約１msec）との合計である1.3msec程度であり、実用上無瞬断の自動切替えが可能となる。
【００３２】
図３（Ｂ）において、主切替スイッチ５が第１電源端子Ａと遮断される前に半導体スイッチ７が導通するが、図７（Ａ）に示すように電源端子Ａが停電しているので、電源端子Ａ、Ｂ間の横流は発生しない。ただし、電源端子Ａの停電が発生した場合に、停電検出回路20による停電の検出と同時に同期検出回路10により電源端子Ａ、Ｂの非同期が検出され、その非同期検出信号Ｍにより電磁接触器８の遮断が駆動されるため、停電後も主切替スイッチ５の切替動作完了までの間は電磁接触器８を導通状態に保持する必要がある。図示例では、電磁接触器８を遅延釈放形とし、及び／又は制御回路15に電磁接触器８の遮断遅延回路30を含めることにより、主切替スイッチ５の切替動作完了まで電磁接触器８を導通状態に保持している。電磁接触器８の遮断遅延時間は、主切替スイッチ５の切替完了時間（上述した20〜50msec程度）以上の範囲内で適当に選択できるが、例えば0.1sec程度であれば足りる。主切替スイッチ５の切替動作完了まで半導体バイパス回路（７＋８）の遮断を確実に防ぐためには、遅延釈放形の電磁接触器８と制御回路15の遅延回路30との両者を用いることも有効である。
【００３３】
図３（Ｃ）は、同図（Ａ）の状態において電源端子Ａ、Ｂが非同期である場合に電源端子Ａの停電が検出された状態を表す。この場合は、電磁接触器制御回路17により電磁接触器８が遮断されているので、制御回路15が主切替スイッチ５の切替えと同時に半導体スイッチ７を導通しても負荷端子Ｃと第２電源端子Ｂとは遮断されており、主切替スイッチ５の切替え完了後に第２交流電源から負荷端子Ｃへの給電が開始する（同図（Ｄ）参照）。
【００３４】
図３（Ｄ）は、主切替スイッチ５の切替えが完了し、主切替スイッチ５により負荷端子Ｃが第２電源端子Ｂと接続された状態を表す。このとき、比較的損失の大きい半導体バイパス回路（７＋８）を介してではなく、比較的低損失の主切替スイッチ５を介して負荷端子Ｃに給電される。また、主切替スイッチ５の切替動作完了後、制御回路15により半導体制御回路16を介して半導体スイッチ７を遮断することができ、半導体スイッチ７の通電による電力損失が除去される。半導体スイッチ７の遮断は交流波形のゼロクロスを待って行えば足りるので、半導体スイッチ７は自己消弧不能なサイリスタ等であってもよい。その後、同図（Ｅ）においてスイッチ切替手段13によって補助切替スイッチ６を主切替スイッチ５と逆側の電源端子Ａに切替え、電源端子Ｂの停電検出時に対応可能とする。
【００３５】
図３（Ｆ）は、同図（Ｅ）の状態において、切替信号入力手段14により制御回路15に計画切替信号Ｎを入力した状態を表す。そのような計画切替時の切替タイムチャートを示す図７（Ｂ）を参照するに、計画切替信号Ｎの入力時に制御回路15は、上述した停電自動切替時のように主切替スイッチ５と半導体スイッチ７とを同時に駆動するのではなく、先ず主切替スイッチ５を駆動したのち停電検出回路20の停電検出に応じて半導体スイッチ７を駆動する。すなわち制御回路15は、切替信号Ｎの入力時に先ず主切替スイッチ５を第２電源端子Ｂから第１電源端子Ａへ切替える。その後、主切替スイッチ５が電源端子Ｂから離れて負荷端子Ｃに瞬停が発生すると、停電検出器20が停電を検出して制御回路15に停電検出信号Ｌを出力する。制御回路15は、この停電検出信号Ｌに応じて半導体スイッチ７を短時間t2で導通させる。主切替スイッチ５の切替動作には20〜50msec程度の時間t1がかかるが、半導体スイッチ７の導通により負荷端子Ｃと電源端子Ａとが補助切替スイッチ６、電磁接触器８、半導体スイッチ７を介して接続されるので、第１交流電源から負荷端子Ｃへの給電が短時間で開始する。すなわち、上述した停電自動切替の場合と同様に、計画切替の瞬停時間も実用上無瞬断の1.3msec程度に抑えることができる。主切替スイッチ５の切替えが完了したのち半導体スイッチ７が自動的に遮断され、更にスイッチ切替手段13により補助切替スイッチ６を主切替スイッチ５と逆側の電源端子Ｂに切替えることにより、同図（Ａ）の状態に復帰する。なお、電源端子Ａ、Ｂが非同期である場合は、非同期電源の短時間切替（５msec以下）による負荷への悪影響を避けるため、例えば同期検出回路10の非同期検出信号Ｍに応じて、制御回路15による計画切替信号Ｎの入力受付けを拒否又は無視することができる。
【００３６】
本発明の無瞬断切替装置１は、負荷端子Ｃを選択的に電源端子Ａ又はＢに接続する主切替スイッチ５と、半導体バイパス回路（７＋８）を介して負荷端子Ｃを選択的に電源端子Ｂ又はＡに接続する補助切替スイッチ６とを用い、停電検出時に主切替スイッチ５の電源切替と半導体スイッチ７の導通とを同時に駆動するので、半導体スイッチ７の導通時間で電源端子Ａ、Ｂを切替えることが可能であり、実用上無瞬断（５msec以下）の自動切替が実現できる。この場合において、電源端子Ａ、Ｂの非同期時はパイパス回路（７＋８）が遮断されるので、非同期の電源端子Ａ、Ｂの混色を避けることができ、横流が発生するおそれはない。また、自動切替だけでなく計画的な切替においても、主切替スイッチ５の切替時の停電を検出して半導体スイッチ７を導通させることができ、実用上無瞬断（５msec以下）の計画切替が実現できる。しかも、使用する半導体スイッチ７は１個で足りるので、制御回路及び機器構成の簡単化を図ることができ、コンパクトな装置を低価格で製造することが可能となる。
【００３７】
こうして本発明の目的である「実用上無瞬断の自動切替が可能であり且つコンパクト化が可能な無瞬断切替装置」の提供を達成することができる。
【００３８】
なお、図２に示すように本発明の無瞬断切替装置１を２系統のＵＰＳ41A及び41Bと組み合わせた場合は、各ＵＰＳ41A及び41Bが商用電力と同期しながら定電圧・定周波数の安定した交流電力を出力するので、電源端子Ａ、Ｂが非同期となる事態（図３（Ｃ）の状態）が頻発するおそれは小さく、無瞬断切替装置１により２系統ＵＰＳ41A、41Bから２４時間３６５日無停止で給電する高信頼性のＵＰＳ給電システムが実現可能である。また、例えば無瞬断切替装置１とＵＰＳ41A、41Bのインバータ46A、46Bとの間に同期検出信号Ｍを伝送する信号ケーブル（図示せず）を設け、２系統のＵＰＳ41A、41Bの非同期検出時にインバータ46A、46Bの電圧・周波数等を調節するような設計にも容易に対応可能である。
【実施例１】
【００３９】
図示例の無瞬断切替装置１は、第１電源端子Ａと主切替スイッチ５及び補助切替スイッチ６との間に第１電源端子Ａを選択的に両切替スイッチ５、６又は負荷端子Ｃに接続するオーバーラップ式第１切替スイッチ2Aを設け、第２電源端子Ｂと主切替スイッチ５及び補助切替スイッチ６との間に第２電源端子Ｂを選択的に両切替スイッチ５、６又は負荷端子Ｃに接続するオーバーラップ式第２切替スイッチ2Bを設け、負荷端子Ｃと主切替スイッチ５及び補助切替スイッチ６との間にブレーカー４を設け、無瞬断切替装置１のメンテナンスの容易化を図っている。図示例の無瞬断切替装置１によれば、メンテナンス時においても負荷Ｄへの給電を停止する必要がなくなる。
【００４０】
図４は、メンテナンス時における無瞬断切替装置１の電源切替動作の流れ図を示す。同図（Ａ）は、図３（Ａ）と同様に、第１電源端子Ａから負荷端子Ｃに給電中の状態を表す。例えば、この状態において無瞬断切替装置１の第２電源端子Ｂと第２交流電源（例えば図２のＵＰＳ41B）との接続を遮断したうえで、第１切替スイッチ2Aを両切替スイッチ５、６に接続する電源監視回路38Aから負荷端子Ｃに直接接続するバイパス回路39Aに切替える（図４（Ｂ）参照）。切替スイッチ2Aをオーバーラップ式とすることにより、第１電源端子Ａと負荷端子Ｃとを無瞬断で切替え接続することが可能であり、負荷端子Ｃの瞬停の発生を避けることができる。図４（Ｂ）において、ブレーカー４を閉鎖した状態では主切替スイッチ５から負荷端子Ｃまで充電状態となっているが、ブレーカー４を開放することに主切替スイッチ５から負荷端子Ｃまで無充填状態とすることができる。
【００４１】
図４（Ｃ）は、第１切替スイッチ2Aと共に、第２切替スイッチ2Bを両切替スイッチ５、６に接続する電源監視回路38Bから負荷端子Ｃに直接接続するバイパス回路39Bに切替えた状態を表す。第１切替スイッチ2A及び第２切替スイッチ2Bをバイパス回路39Bに切替え、ブレーカー４を開放したのち、無瞬断切替装置１のメンテナンスを行う。なお、図４（Ｃ）の状態において第２電源端子Ｂと第２交流電源（図２のＵＰＳ41B）とを接続すると、２系統の交流電源から負荷端子Ｃへの並列供給となる。この場合は、２系統の交流電源の同期が取れていない場合もありえるため、注意が必要である。
【図面の簡単な説明】
【００４２】
【図１】本発明の無瞬断切替装置の一実施例の説明図である。
【図２】本発明の無瞬断切替装置と無停電電源装置との接続態様の一例を示す説明図である。
【図３】本発明の無瞬断切替装置の停電時における電源切替動作の説明図である。
【図４】本発明の無瞬断切替装置のメンテナンス時における電源切替動作の説明図である。
【図５】本発明で用いる停電検出回路の一例の説明図である。
【図６】本発明で用いる同期検出回路の一例の説明図である。
【図７】本発明における停電切替時及び計画切替時の切替タイムチャートの一例である。
【図８】従来の無瞬断切替装置の説明図である。
【符号の説明】
【００４３】
１…無瞬断切替装置                    2A…（オーバーラップ形）手動切替器
2B…（オーバーラップ形）手動切替器    ４…ブレーカー（ＭＣＣＢ）
５…双投式主切替スイッチ              ６…双投式補助切替スイッチ
７…半導体スイッチ                    ８…遅延釈放形電磁接触器
９…保護ヒューズ                      10…同期検出回路
11…波形成形回路                      12…ディジタル処理装置
13…スイッチ切替手段（電動又は手動）  14…切替信号入力手段
15…制御回路                          16…半導体制御回路
17…接触器制御回路                    18…主スイッチ制御回路
19…補助スイッチ制御回路              20…停電検出回路
21…トランス                          22…整流回路
23…無接点リレー
29…トランス                          30…遅延回路
38…電源監視回路                      39…バイパス回路
40…高圧分岐用遮断器盤                41…無停電電源装置（ＵＰＳ）
42…高圧入力盤                        43…入力変圧器盤
44…コンバータ                        45…バッテリー
46…インバータ                        47…バイパス回路
48…切替スイッチ                      49…分岐ブレーカー
50…保守バイパス回路                  51…変圧器
55…有接点スイッチ                    56…半導体スイッチ
57…半導体スイッチ                    58…有接点スイッチ
59…有接点切替スイッチ                60…半導体スイッチ
62…メンテナンス用スイッチ
Ａ…第１電源端子                      Ｂ…第２電源端子
Ｃ…負荷端子                          Ｄ…負荷
Ｌ…停電検出信号                      Ｍ…同期検出信号
Ｎ…計画切替信号
【図１】
2008048474.tif 000003
【図２】
2008048474.tif 000004
【図３】
2008048474.tif 000005
【図４】
2008048474.tif 000006
【図５】
2008048474.tif 000007
【図６】
2008048474.tif 000008
【図８】
2008048474.tif 000009
【図７】
2008048474.tif 000010